(57)【特許請求の範囲】
【請求項１】
上下の縦張り中空押出成形セメント板間に横方向に延びる水切り板が備えられ、
この水切り板は、上側セメント板の下端背面に沿う立ち上がり板部と、立ち上がり板部の下端から上側セメント板の下面に沿うように張り出す水平張出し板部と、水平張出し板部の先端部から下方に垂れ下がる垂下板部とを備え、
この水切り板の垂下板部の正面部に、横方向に延びる非硬質の第１バックアップ材の背面部が貼り付けられ、この背面部は横方向に凹凸を繰り返さない横方向に連続の面からなっており、
この第１バックアップ材の正面部に、同じく横方向に延びる第２バックアップ材の背面部が当接し、第１バックアップ材の正面側に設けられた通水用の凹凸によって、両バックアップ材間に上下方向に貫通する通水部が形成され、この通水部は下側セメント板の中空部の直上位置に備えられて、水切り板で受けられた水がこの通水部を通じて下側セメント板の中空部に流れ込むようになされており、かつ、
前記第２バックアップ材の正面側に、上下のセメント板間を塞ぐシーリング材が充填されていることを特徴とする上下の縦張り中空押出成形セメント板間の横目地防水構造。
【発明の詳細な説明】
【０００１】
【発明の属する技術分野】
本発明は、上下の縦張り中空押出成形セメント板間の横目地防水構造に関する。
【０００２】
【従来の技術】
縦張り中空押出成形セメント板で建物の外壁を形成することがあるが、その場合の上下のセメント板間の横目地防水構造として、従来より、図５に示すように、セメント板５１，５２の背面側に入り込もうとする水Ｗを、上下のセメント板５１，５２間に配設した水切り板５３で受け、この水切り板５３に受けられた水Ｗを下側セメント板５２の中空部５２ａに流し込むようにしたものが提供されている。
【０００３】
そして、この防水構造において、上下のセメント板５１，５２間の横目地に正面側からシーリング材５４を充填するため、水切り板５３の垂下板部５３ａの正面側に、背面側に通水用の凹凸５５ａを備えたバックアップ材５５が設置されている。この凹凸５５ａによってバックアップ材５５と水切り垂下板部５３ａとの間に上下方向に貫通の通水部５６を形成し、水切り板５３で受けた水をこの通水部５６を通じて下側セメント板５２の中空部５２ａに流し込むと共に、このバックアップ材５５でシーリング材５４を受けるようになされている。
【０００４】
【発明が解決しようとする課題】
ところで、上記のバックアップ材５５は、水切り板５３の垂下板部５３ａの正面側に予め先貼りで貼り付けておくこともできるし、あるいは、上下のセメント板５１，５２の建方を行った後に正面側から横目地の奥方に押し込んで後付けで施工することもできるが、いずれの場合でも、バックアップ材５５は、安定した設置状態となるように水切り板５３の垂下板部５３ａの正面部に貼付け状態にしておくのが好ましい。
【０００５】
しかるに、バックアップ材５５の通水用の凹凸５５ａの設けられている側を水切り板５３の垂下板部５３ａの正面部にきれいに貼り付けることは、バックアップ材５５が弾力性を有して変形しやすい非硬質のものであることにより、先貼りであるか後貼りであるかにかかわらず、けっこう難しく、手間を要するという問題があった。
【０００６】
本発明は、上記のような従来の問題点に鑑み、水切り板で受けた水を下側セメント板の中空部に流すことができ、しかも、水切り板の垂下板部正面側に対するバックアップ材の貼付けも適正かつ容易に行うことができ、加えて、シーリング材の充填も容易に行うことができる、上下の縦張り中空押出成形セメント板間の横目地防水構造等を提供することを課題とする。
【０００７】
【課題を解決するための手段】
上記の課題は、上下の縦張り中空押出成形セメント板間に横方向に延びる水切り板が備えられ、
この水切り板は、上側セメント板の下端背面に沿う立ち上がり板部と、立ち上がり板部の下端から上側セメント板の下面に沿うように張り出す水平張出し板部と、水平張出し板部の先端部から下方に垂れ下がる垂下板部とを備え、
この水切り板の垂下板部の正面部に、横方向に延びる非硬質の第１バックアップ材の背面部が貼り付けられ、この背面部は横方向に凹凸を繰り返さない横方向に連続の面からなっており、
この第１バックアップ材の正面部に、同じく横方向に延びる第２バックアップ材の背面部が当接し、第１バックアップ材の正面側に設けられた通水用の凹凸によって、両バックアップ材間に上下方向に貫通する通水部が形成され、この通水部は下側セメント板の中空部の直上位置に備えられて、水切り板で受けられた水がこの通水部を通じて下側セメント板の中空部に流れ込むようになされており、かつ、
前記第２バックアップ材の正面側に、上下のセメント板間を塞ぐシーリング材が充填されていることを特徴とする上下の縦張り中空押出成形セメント板間の横目地防水構造によって解決される。
【０００８】
この構造では、水切り板で受けた水は、水切り板の垂下板部と第１バックアップ材との間ではなく、第１バックアップ材と第２バックアップ材との間に形成された通水部を通じて、下側セメント板の中空部に流れ込んでいくことができる。
【０００９】
しかも、水切り板の垂下板部正面側に貼り付けられる第１バックアップ材の背面側は、横方向に凹凸を繰り返さない横方向に連続の面からなっているので、水切り板の垂下板部の正面部に対する第１バックアップ材の貼付けも適正かつ容易に行うことができる。
【００１０】
加えて、第１バックアップ材とシーリング材との間には第２バックアップ材が介設されているので、シーリング材を横目地内にしっかりと充填しても通水部が塞がれてしまうというようなことがなく、シーリング材の充填を容易に行うことができる。
【００１１】
なお、第２バックアップ材は、第１バックアップ材に貼り付けるようにしてもよいし、貼り付けずに当接させるだけにしてもよい。第１バックアップ材は水切り板の垂下板部に貼り付けられているから、正面側の凹凸形状が安定しており、第２バックアップ材を第１バックアップ材の正面側凹凸面に適正かつ容易に貼り付けることができるし、あるいは、貼り付けない場合であっても適正かつ容易に当接させることができる。
【００１２】
また、上記の課題は、上下の縦張り中空押出成形セメント板間に横方向に延びて備えられる水切り板であって、上側セメント板の下端背面に沿う立ち上がり板部、立ち上がり板部の下端から上側セメント板の下面に沿うように張り出す水平張出し板部、及び、水平張出し板部の先端部から下方に垂れ下がる垂下板部を備えたものと、
横方向に延ばされて水切り板の垂下板部の正面部に背面部が貼り付けられ、この背面部は横方向に凹凸を繰り返さない横方向に連続の面部からなっており、かつ、正面側に、水切り板に受けられた水を下側セメント板の中空部内に流下させる通水部を形成する通水用凹凸が設けられている非硬質のバックアップ材と
が備えられていることを特徴とする、上下の縦張り中空押出成形セメント板間の横目地防水用の水切り材によっても同様に解決される。
【００１３】
即ち、この水切り材では、水切り板で受けた水は、水切り板の垂下板部と第１バックアップ材との間ではなく、第１バックアップ材の正面側の通水用凹凸を通じて、下側セメント板の中空部に流れ込んでいくことができる。しかも、水切り板の垂下板部正面側に貼り付けられる第１バックアップ材の背面側は、横方向に凹凸を繰り返さない横方向に連続の面からなっているので、水切り板の垂下板部の正面部に対する第１バックアップ材の貼付けも適正かつ容易に行うことができる。
【００１４】
【発明の実施の形態】
次に、本発明の実施形態を図面に基づいて説明する。
【００１５】
図１〜図４に示す実施形態の防水構造において、１，２は上下の縦張り中空押出成形セメント板であり、縦張りのため、セメント板１，２の各中空部１ａ…，２ａ…は上下方向に延びている。
【００１６】
これら上下のセメント板１，２間に水切り材３が備えられており、この水切り材３は、横方向に延びる水切り板４と、同じく横方向に延びる第１バックアップ材５とで構成されている。即ち、水切り板４は、ガルバリウム鋼板などの板曲げ加工品からなっていて、上側セメント板１の下端背面に沿う立ち上がり板部４ａと、立ち上がり板部４ａの下端から上側セメント板１の下面に沿うように張り出す水平張出し板部４ｂと、水平張出し板部４ｂの先端部から下方に垂れ下がる垂下板部４ｃとを備えている。また、第１バックアップ材５は、発泡ポリエチレンなどの弾力性を有して変形しやすい非硬質材からなっていて、水切り板４の垂下板部４ｃの正面部に貼り付けられて、水切り板４とともに水切り材３を構成している。
【００１７】
第１バックアップ材５は、図２（イ）に示すように、正面側に、横方向において凹凸を繰り返す通水用の凹凸５ａを備える一方、背面部は、横方向に凹凸を繰り返さない横方向に連続の面、本実施形態では背面部全体が平坦な面５ｂに形成され、この背面平坦面５ｂが、図２（ロ）に示すように、水切り板４の垂下板部４ｃの平坦な正面部に貼り付けられている。
【００１８】
そして、第１バックアップ材５の正面部に、図２（ロ）及び図１（ロ）に示すように、横方向に延びる第２バックアップ材６の背面部が当接していて、第１バックアップ材５と第２バックアップ材６との間に、上下方向に貫通する通水部７が形成されている。この通水部７は、図１（イ）に示すように、上下のセメント板１，２間において、下側セメント板２の中空部２ａの直上位置に備えられ、水切り板４で受けられた水が、この通水部７を通じて下側セメント板２の中空部２ａに流れ込むようになされている。この第２バックアップ材６も、発泡ポリエチレンなどの弾力性を有する材料からなっている。
【００１９】
更に、第２バックアップ材６の正面側の、上下のセメント板１，２間にシーリング材８が充填されている。
【００２０】
なお、図３において、１１は建物躯体の鉄骨梁、１２はピースアングル、１３はＺクリップであり、１４は通しアングル、１５はゴムパッキン、１６はガスケット、１７はロックウールである。１ｂ，２ｂは外装タイルである。また、１９は水切り用の切欠きであり、この切欠き１９内に水切り板４の垂下板部の下縁４ｃが突出するようになされている。
【００２１】
上記の防水構造では、セメント板１，２の背面側に侵入しようとして水切り板４に受けられた水Ｗは、図１及び図４に示すように、水切り板４の垂下板部４ｃと第１バックアップ材５との間ではなく、第１バックアップ材５と第２バックアップ材６との間の通水部７を通じて、下側セメント板２の中空部２ａに流れ込んでいくことができる。
【００２２】
また、水切り板４の垂下板部４ｃに対する第１バックアップ材５の貼付けは、第１バックアップ材５が上記のように弾力性を有する変形しやすい非硬質のものであっても、第１バックアップ材５の背面部が横方向に連続した平坦面５ｂからなっているので、凹凸５ａのある正面側を垂下板部４ｃに貼り付ける場合に比べて適正かつ容易に貼付けを行うことができる。
【００２３】
なお、本実施形態では、上下のセメント板１，２間に組み込む前の水切り板４に対して第１バックアップ材５を貼り付けているが、上下のセメント板１，２間に組み込んだ状態の水切り板４の垂下板部４ｃの正面部に対して、上下のセメント板１，２の正面側からセメント板１，２間を通じて第１バックアップ材５を押し込んで貼り付けるようにしてもよい。この場合であっても、第１バックアップ材５の背面部が上記のように横方向に連続した平坦面からなっているので、凹凸５ａのある正面側を垂下板部４ｃに貼り付ける場合に比べて適正かつ容易に貼付けを行うことができる。
【００２４】
更に、第１バックアップ材５とシーリング材８との間には第２バックアップ材６が介設されているので、セメント板１，２の正面側から横目地内にシーリング材８を押し込んでも通水部７が塞がれてしまうというようなことがなく、シーリング材８の充填を容易に行うことができる。
【００２５】
更にまた、第２バックアップ材６は、第１バックアップ材５に貼り付けるようにしてもよいし、貼り付けずに当接させるだけにしてもよいが、貼り付ける場合であっても、第１バックアップ材５は水切り板４の垂下板部４ｃに貼り付けられているから、正面側の凹凸５ａの形状が安定しており、第２バックアップ材６を第１バックアップ材５の正面側の凹凸５ａに適正かつ容易に貼り付けることができるし、あるいは、貼り付けない場合であっても適正かつ容易に当接させることができる。
【００２６】
以上に、本発明の実施形態を示したが、本発明はこれに限られるものではなく、発明思想を逸脱しない範囲で、各種の変更が可能である。例えば、上記の実施形態では、通水用の凹凸の備えられた第１バックアップ材として、発泡ポリエチレン材を用いた場合を示しているが、要は、弾力性を有して変形しやすい非硬質の材料からなるものであればよい。
【００２７】
【発明の効果】
本発明は、以上のとおりのものであるから、水切り板で受けた水を下側セメント板の中空部に流すことができ、しかも、水切り板の垂下板部正面側に対するバックアップ材の貼付けも適正かつ容易に行うことができ、加えて、シーリング材の充填も容易に行うことができる。
【図面の簡単な説明】
【図１】上下の縦張り中空押出成形セメント板間の横目地防水構造の実施形態を示すもので、図（イ）は要部拡大断面側面図、図（ロ）は水切り板と第１、第２バックアップ材との配置関係を示す断面斜視図である。
【図２】図（イ）は水切り材を構成する水切り板と第１バックアップ材とを分離させて示す断面斜視図、図（ロ）は水切り材と第２バックアップ材とを分離させて示す断面斜視図である。
【図３】同防水構造の断面側面図である。
【図４】排水の状態を示す断面斜視図である。
【図５】従来例を示すもので、図（イ）は防水構造の断面側面図、図（ロ）は水切り板とバックアップ材との取付け構造を示す断面斜視図、図（ハ）は水切り板とバックアップ材とを分離させて示す斜視図である。
【符号の説明】
１…上側セメント板
１ａ…中空部
２…下側セメント板
２ａ…中空部
３…水切り材
４…水切り板
４ａ…立ち上がり板部
４ｂ…水平張出し板部
４ｃ…垂下板部
５…第１バックアップ材
５ａ…通水用の凹凸
５ｂ…平坦面
６…第２バックアップ材
７…通水部
８…シーリング材
【図１】
0003908091.tif 000002
【図２】
0003908091.tif 000003
【図３】
0003908091.tif 000004
【図４】
0003908091.tif 000005
【図５】
0003908091.tif 000006